(57)【要約】 【課題】  人の手を介さずに、放送信号に含まれる字幕を確認することが可能な字幕確認システムを提供する。【解決手段】  字幕確認システムは、映像信号出力装置及び字幕確認装置を具備する。映像信号出力装置は、映像信号に字幕データを多重して出力する。字幕確認装置は、前記映像信号を受信し、前記受信した映像信号から字幕データを抽出する抽出部と、前記抽出された字幕データが、想定されるタイミングで多重されるか否か、及び、前記受信した映像信号に多重されると想定される字幕データと一致するか否かを判断する照合部と、前記抽出した字幕データ及び前記判断結果を提示する提示部とを備える。【選択図】図１
2013065959.tif 000002
【特許請求の範囲】
【請求項１】
映像信号に字幕データを多重して出力する映像信号出力装置と、
前記映像信号を受信し、前記受信した映像信号から字幕データを抽出する抽出部と、前記抽出された字幕データが、想定されるタイミングで多重されるか否か、及び、前記受信した映像信号に多重されると想定される字幕データと一致するか否かを判断する照合部と、前記抽出した字幕データ及び前記判断結果を提示する提示部とを備える字幕確認装置と
を具備することを特徴とする字幕確認システム。
【請求項２】
字幕データが多重された映像信号を受信し、前記受信した映像信号から字幕データを抽出する抽出部と、
前記抽出された字幕データが、想定されるタイミングで多重されるか否か、及び、前記受信した映像信号に多重されると想定される字幕データと一致するか否かを判断する照合部と、
前記抽出した字幕データ及び前記判断結果を提示する提示部と
を具備することを特徴とする字幕確認装置。
【請求項３】
前記抽出部は、前記字幕データが多重されている間隔をカウントしたカウント値をさらに取得し、
前記照合部は、前記カウント値を、前記字幕データの放送スケジュールと比較することで、前記字幕データが想定されるタイミングで多重されているか否かを判断することを特徴とする請求項２記載の字幕確認装置。
【請求項４】
前記抽出部は、前記字幕データの放送スケジュールに基づいて前記字幕データを抽出し、
前記照合部は、前記放送スケジュールに基づいて抽出された字幕データが、前記受信した映像信号に多重されると想定される字幕データと一致するか否かを判断することを特徴とする請求項２記載の字幕確認装置。
【請求項５】
前記映像信号は、前記多重される字幕データを特定するユニークコードがさらに多重され、
前記抽出部は、前記映像信号から前記ユニークコードをさらに抽出し、
前記照合部は、前記抽出したユニークコードが、前記受信した映像信号に多重されると想定される字幕データに割り当てられたユニークコードと一致するか否かをさらに判断することを特徴とする請求項２乃至４のいずれかに記載の字幕確認装置。
【請求項６】
前記多重する字幕データを特定するユニークコードを作成するデータサーバと通信する通信部をさらに具備し、
前記映像信号は、前記ユニークコードがさらに多重され、
前記抽出部は、前記映像信号から前記ユニークコードをさらに抽出し、
前記通信部は、前記抽出したユニークコードを前記データサーバへ出力し、前記データサーバに、前記抽出したユニークコードが、前記受信した映像信号に多重されると想定される字幕データに割り当てられたユニークコードと一致するか否かを判断させ、前記データサーバから判断結果を受信し、
前記提示部は、前記データサーバからの判断結果をさらに提示することを特徴とする請求項２乃至４のいずれかに記載の字幕確認装置。
【請求項７】
字幕データが多重されて出力された映像信号から、前記字幕データを抽出し、
前記抽出された字幕データが、想定されるタイミングで多重されるか否か、及び、前記受信した映像信号に多重されると想定される字幕データと一致するか否かを判断し、
前記抽出した字幕データ及び前記判断結果を提示することを特徴とする字幕確認方法。
【発明の詳細な説明】
【技術分野】
【０００１】
本発明の実施形態は、コマーシャル放送において正しく字幕が表示されるか否かを確認する字幕確認システムと、このシステムで用いられる字幕確認装置及び字幕確認方法とに関する。
【背景技術】
【０００２】
従来では、ＣＭ（Commercial Message）の放送確認結果を確実に知る方法として、補助データにＣＭ確認コードというユニークコードを埋め込んだＣＭ映像信号を出力し、ＣＭ確認設備で、出力されたＣＭ映像信号のユニークコードを読み出すことで、ＣＭが確実に出力されたことを確認する方法が知られている。
【０００３】
ところで、近年、地上デジタル放送の導入により、番組の視聴中に、視聴者が字幕の表示／非表示を設定することが可能となった。一方、ＣＭについては、字幕の表示／非表示を設定できるようにはされていない。そのため、ＣＭへの字幕の表示／非表示を設定可能にすると、ＣＭに正しい字幕が付されているか否かを確認するための字幕デコード装置が必要となる。字幕デコード装置は、字幕データが多重されたＣＭ放送信号を受信し、デコードした後、放送されるＣＭと、このＣＭに付加されている字幕とをモニタに表示する。字幕デコード装置のユーザは、放送されるＣＭと、このＣＭに付加されている字幕とが一致するかを確認するため、モニタを常時監視しなければならない。
【先行技術文献】
【特許文献】
【０００４】
【特許文献１】特開２００２−４４６８９号公報
【発明の概要】
【発明が解決しようとする課題】
【０００５】
以上のように、従来では、字幕デコード装置のユーザによる目視のみによりＣＭの字幕が確認されていたため、全てのページの字幕が正しく送出されたかを確認することは困難であった。
【０００６】
そこで、目的は、人の手を介さずに、放送信号に含まれる字幕を確認することが可能な字幕確認システムと、このシステムで用いられる字幕確認装置及び字幕確認方法とを提供することにある。
【課題を解決するための手段】
【０００７】
実施形態によれば、字幕確認システムは、映像信号出力装置及び字幕確認装置を具備する。映像信号出力装置は、映像信号に字幕データを多重して出力する。字幕確認装置は、前記映像信号を受信し、前記受信した映像信号から字幕データを抽出する抽出部と、前記抽出された字幕データが、想定されるタイミングで多重されるか否か、及び、前記受信した映像信号に多重されると想定される字幕データと一致するか否かを判断する照合部と、前記抽出した字幕データ及び前記判断結果を提示する提示部とを備える。
【図面の簡単な説明】
【０００８】
【図１】第１の実施形態に係る字幕確認装置が用いられる字幕確認システムの機能構成を示すブロック図である。
【図２】図１の字幕確認装置が提示部からデータを提示する際の処理を示すシーケンス図である。
【図３】図１の字幕確認システムのその他の構成例を示す図である。
【図４】第２の実施形態に係る字幕確認装置が用いられる字幕確認システムの機能構成を示すブロック図である。
【図５】図４の字幕確認装置が提示部からデータを提示する際の処理を示すシーケンス図である。
【発明を実施するための形態】
【０００９】
以下、実施の形態について、図面を参照して説明する。
【００１０】
（第１の実施形態）  
図１は、第１の実施形態に係る字幕確認装置１０が用いられる字幕確認システムの機能構成を示すブロック図である。図１に示す字幕確認システムは、字幕確認装置１０、映像信号出力装置２０、データサーバ（ＤＳ）３０及び自動番組送出制御部（ＡＰＣ）４０を具備する。
【００１１】
ＤＳ３０は、ＴＶ番組の放送開始／終了時刻及びＣＭの放送時刻等を含む放送スケジュールデータに基づいて、プレイリストデータを作成する。ＤＳ３０は、作成したプレイリストデータを字幕確認装置１０及びＡＰＣ４０へ出力する。また、ＤＳ３０は、字幕データを一意に識別するためのユニークコードを作成する。ＤＳ３０は、作成したユニークコードを字幕確認装置１０及び映像信号出力装置２０へ出力する。
【００１２】
また、ＤＳ３０は、字幕確認装置１０から放送結果データを受け取り、放送スケジュール通りにＴＶ番組及びＣＭが放送されたか否かを確認する。
【００１３】
ＡＰＣ４０は、ＤＳ３０で作成されるプレイリストデータ、及び、局内時計により計時される時刻情報等に基づき、映像信号出力装置２０に対して第１及び第２の出力制御を行う。第１の出力制御では、出力する番組素材又はＣＭ素材を指定すると共に、指定した番組素材又はＣＭ素材を出力するタイミングを指定する。また、第２の出力制御では、出力する字幕データを指定すると共に、指定した字幕データを出力するタイミングを指定する。
【００１４】
映像信号出力装置２０は、映像再生部２１、字幕インサート部２２及び字幕データ出力部２３を備える。
【００１５】
映像再生部２１は、番組素材及びＣＭ素材を記録している。映像再生部２１は、第１の出力制御に応じて、記録している番組素材及びＣＭ素材のうち、ＡＰＣ４０により指定される番組素材又はＣＭ素材を、ＡＰＣ４０により指定されるタイミングで映像信号として字幕インサート部２２へ出力する。なお、第１の実施形態では、ＡＰＣ４０によりＣＭ素材の出力が指定され、映像再生部２１が、指定されたＣＭ素材をＣＭ映像信号として字幕インサート部２２へ出力する場合を例に説明する。
【００１６】
字幕データ出力部２３は、字幕データを記録している。字幕データ出力部２３は、第２の出力制御に応じて、記録している字幕データのうち、ＡＰＣ４０により指定される字幕データを、ＡＰＣ４０により指定されるタイミングで字幕インサート部２２へ出力する。このとき、字幕データ出力部２３は、ＤＳ３０から通知されるユニークコードのうち、指定された字幕データに対応するユニークコードを、字幕データの出力と共に字幕インサート部２２へ出力する。
【００１７】
字幕インサート部２２は、映像再生部２１から出力されるＣＭ映像信号の補助領域であるアンシラリ領域に、字幕データ出力部２３から出力される字幕データ及びユニークコードを多重する。字幕インサート部２２は、字幕データ及びユニークコードを多重したＣＭ映像信号を字幕確認装置１０へ出力する。なお、この字幕データは、番組の視聴者により表示／非表示が設定可能なクローズドキャプションである。
【００１８】
字幕確認装置１０は、抽出部１１、通信部１２、照合部１３、記憶部１４及び提示部１５を備える。
【００１９】
抽出部１１は、映像信号出力装置２０から出力されるＣＭ映像信号のアンシラリ領域に多重されている字幕データ及びユニークコードを抽出する。抽出部１１は、抽出した字幕データ及びユニークコードを通信部１２、照合部１３及び記録部１４へ出力する。また、抽出部１１は、字幕データ及びユニークコードが多重されている間隔をＣＭ映像信号のフレーム単位でカウントする。抽出部１１は、取得したカウント値を通信部１２及び照合部１３へ出力する。
【００２０】
通信部１２は、ＤＳ３０から供給されるプレイリストデータ及びユニークコードを受信する。通信部１２は、受信したプレイリストデータ及びユニークコードを照合部１３へ出力する。また、通信部１２は、抽出部１１からの字幕データ、ユニークコード及びカウント値と、照合部１３からの照合結果とを予め設定された期間分だけまとめて放送結果データを作成する。通信部１２は、作成した放送結果データをＤＳ３０へ出力する。
【００２１】
照合部１３は、通信部１２から出力されるプレイリストデータ及びユニークコードを記録する。また、照合部１３は、字幕データ出力部２３で記録される字幕データの元データを、所定の形式で受け取り、受け取った元データを記録する。所定の形式の元データとは、例えば、ＮＡＢ（National Association of Commercial Broadcasters in Japan）策定交換字幕ファイル又はＡＲＩＢ（Association of Radio Industries and Businesses）策定交換字幕ファイルのことである。照合部１３は、抽出部１１から通知される字幕データ、ユニークコード及びカウント値を、記録する元データ、ユニークコード及びプレイリストと照合する。
【００２２】
例えば、照合部１３は、抽出部１１で取得されたカウント値と、記録しているプレイリストから換算される、字幕データの出力タイミングとを比較する。照合部１３は、カウント値が出力タイミングと一致する場合、抽出部１１で抽出された字幕データが、ＣＭ映像信号に多重されると想定される字幕データの元データと一致するか否かを判断すると共に、抽出部１１で抽出されたユニークコードが、ＣＭ映像信号に多重されると想定される字幕データに割り当てられたユニークコードと一致するか否かを判断する。抽出された字幕データ及びユニークコードと、記録している元データ及びユニークコードとが一致する場合、抽出部１１は、ＣＭ映像信号に多重されている字幕データは正しいと判断する。また、カウント値と出力タイミングとが一致しない場合、及び、抽出された字幕データ及びユニークコードと、記録している元データ及びユニークコードとが一致しない場合、照合部１３は、ＣＭ映像信号に多重されている字幕データは間違いであると判断する。これにより、照合部１３は、正しい字幕データが正しいタイミングでＣＭ映像信号に多重されているか否かを確認することとなる。照合部１３は、照合結果を通信部１２及び記録部１４へ出力する。
【００２３】
記録部１４は、抽出部１１から出力される字幕データ及びユニークコードと、照合部１３から出力される照合結果とを記録する。記録部１４は、字幕データ、ユニークコード及び照合結果を所定の期間、例えば一日分、記録すると、記録した一日分のデータを提示部１５からユーザへまとめて提示する。なお、提示部１５は、モニタ又はプリンタ等が想定される。
【００２４】
次に、上記構成における字幕確認装置１０の動作を具体的に説明する。図２は、第１の実施形態に係る字幕確認装置１０が提示部１５から一日分のデータを提示する際の処理を示すシーケンス図である。
【００２５】
まず、通信部１２は、ＤＳ３０から供給されるプレイリストデータ及びユニークコードを受信し（シーケンスＳ２１）、受信したプレイリストデータ及びユニークコードを照合部１３へ出力する（シーケンスＳ２２）。
【００２６】
照合部１３は、受信したプレイリストデータ及びユニークコードを記録する（シーケンスＳ２３）。また、照合部１３は、字幕データ出力部２３で記録される字幕データの元データを受け取り（シーケンスＳ２４）、受け取った元データを記録する（シーケンスＳ２５）。
【００２７】
続いて、抽出部１１は、映像信号出力装置２０から出力されるＣＭ映像信号を受信する（シーケンスＳ２６）。抽出部１１は、受信したＣＭ映像信号のアンシラリ領域から、字幕データ及びユニークコードを抽出すると共に、映像信号の先頭から字幕データまでの間に存在するフレーム数をカウント値として取得する（シーケンスＳ２７）。抽出部１１は、字幕データ、ユニークコード及びカウント値を通信部１２及び照合部１３へ出力する。また、抽出部１１は、字幕データ及びユニークコードを記録部１４へ出力する（シーケンスＳ２８）。
【００２８】
照合部１３は、記録しているプレイリストデータ、ユニークコード及び元データと、抽出部１１からのカウント値、ユニークコード及び字幕データとを照合し、抽出した字幕データが受信したＣＭ映像信号にとって正しいものであるか否かを判断する（シーケンスＳ２９）。照合部１３は、照合結果を通信部１２及び記録部１４へ出力する（シーケンスＳ２１０）。
【００２９】
通信部１２は、抽出部１１からの字幕データ、ユニークコード及びカウント値と、照合部１３からの照合結果とを記録する（シーケンスＳ２１１）。記録部１４は、抽出部１１からの字幕データ及びユニークコードと、照合部１３からの照合結果とを記録する（シーケンスＳ２１２）。字幕確認装置１０は、シーケンスＳ２６からシーケンスＳ２１２までを、ＣＭが終了するまで繰り返す。
【００３０】
通信部１２は、例えば００時００分になると、記録した一日分のデータをまとめて、放送結果データを作成する（シーケンスＳ２１３）。通信部１２は、作成した放送結果データをＤＳ３０へ出力する（シーケンスＳ２１４）。また、記録部１４は、例えば００時００分になると、記録した一日分のデータをまとめて、ユーザへ提示する（シーケンスＳ２１５）。
【００３１】
以上のように、第１の実施形態では、字幕確認装置１０は、受信した映像信号から字幕データを抽出すると共に、フレーム番号をカウントしたカウント値を取得する。字幕確認装置１０は、取得したカウント値及び抽出した字幕データと、ＤＳ３０から通知されるプレイリストデータ及び受信したＣＭ映像信号に付加されると想定される字幕データの元データとを照合し、映像信号に正しい字幕データが正しいタイミングで多重されているかを判断するようにしている。これにより、ＣＭの字幕の表示／非表示を設定可能な場合であっても、出力したＣＭに正しい字幕が付されているか否かを自動で判別することが可能となる。つまり、人の手を介さなくても、出力したＣＭに正しい字幕が付されているか否かを判別することが可能となる。
【００３２】
また、第１の実施形態では、字幕確認装置１０は、受信した映像信号から字幕データのユニークコードをさらに抽出する。字幕確認装置１０は、抽出したユニークコードを、ＣＭ映像信号に多重されると想定される字幕データに割り当てられたユニークコードと比較することで、放送信号に正しい字幕データが付されているか否かを判断するようにしている。これにより、放送信号に正しい字幕データが付されているか否かを判断する精度を向上させることが可能となる。
【００３３】
したがって、第１の実施形態に係る字幕確認システム及び字幕確認装置１０によれば、人の手を介さずに、放送信号に付された字幕が正しいか否かを確認することができる。このため、ＣＭ字幕プレビュー業務の負荷低減を図ることができる。また、ＣＭ字幕の確実な送出を担保することができる。
【００３４】
なお、第１の実施形態では、図１に示す字幕確認システムについて説明したが、これに限定される訳ではない。例えば、字幕確認システムは、図３に示すように、字幕デコード装置５０を具備しても構わない。
【００３５】
このとき、抽出部１１は、映像信号出力装置２０からのＣＭ映像信号を字幕デコード装置５０へ出力する。字幕デコード装置５０は、デコーダ５１及びモニタ５２を備える。デコーダ５１は、抽出部１１から出力されるＣＭ映像信号をデコードする。モニタ５２は、デコードされたＣＭを表示する。字幕デコード装置５０のユーザは、表示されたＣＭと、このＣＭと同時に表示される字幕とが一致するか否かを目視する。
【００３６】
（第２の実施形態）  
図４は、第２の実施形態に係る字幕確認装置６０が用いられる字幕確認システムの機能構成を示すブロック図である。図４に示す字幕確認システムは、字幕確認装置６０、映像信号出力装置２０、ＤＳ７０及びＡＰＣ４０を具備する。
【００３７】
ＤＳ７０は、ＴＶ番組の放送開始／終了時刻及びＣＭの放送時刻等を含む放送スケジュールデータに基づいて、プレイリストデータを作成する。ＤＳ７０は、作成したプレイリストデータを字幕確認装置６０及びＡＰＣ４０へ出力する。また、ＤＳ７０は、字幕データを一意に識別するためのユニークコードを作成する。ＤＳ７０は、作成したユニークコードを映像信号出力装置２０へ出力する。
【００３８】
また、ＤＳ７０は、字幕確認装置６０からの放送結果データを受信する。ＤＳ７０は、放送結果データに記載されるユニークコードが、字幕データ毎に割り当てたユニークコードと一致するか否かを判断した後、放送結果データを字幕確認装置６０に返信する。このとき、ＤＳ７０は、放送結果データに記載されるユニークコードと、割り当てたユニークコードとが一致する場合、放送結果データに字幕データが正しい旨を記載する。また、ＤＳ７０は、放送結果データに記載されるユニークコードと、割り当てたユニークコードとが一致しない場合、放送結果データに字幕データが間違っている旨を記載する。
【００３９】
字幕確認装置６０は、抽出部６１、通信部６２、照合部６３、記憶部６４、提示部６５及び制御部６６を備える。
【００４０】
抽出部６１は、映像信号出力装置２０から出力されるＣＭ映像信号のアンシラリ領域に多重されている字幕データ及びユニークコードを、制御部６６に指定されるタイミングで抽出する。また、抽出部６１は、字幕データ及びユニークコードを抽出した際のタイムスタンプを取得する。抽出部６１は、抽出した字幕データを照合部６３へ出力する。また、抽出部６１は、抽出した字幕データ及びユニークコードと、取得したタイムスタンプとを通信部６２へ出力する。
【００４１】
通信部６２は、ＤＳ７０から供給されるプレイリストデータを受信する。通信部６２は、受信したプレイリストデータを制御部６６へ出力する。また、通信部６２は、抽出部６１からの字幕データ、ユニークコード及びタイムスタンプと、照合部６３からの照合結果とを、予め設定された期間分だけまとめて放送結果データを作成する。通信部６２は、作成した放送結果データをＤＳ７０へ出力する。
【００４２】
また、通信部６２は、ＤＳ７０から返信される放送結果データを記録部６４へ出力する。
【００４３】
照合部６３は、字幕データ出力部２３で記録される字幕データの元データを、所定の形式で受け取り、受け取った元データを記録する。所定の形式の元データとは、例えば、ＮＡＢ策定交換字幕ファイル又はＡＲＩＢ策定交換字幕ファイルのことである。照合部６３は、抽出部６１で抽出された字幕データと、記録している元データとが一致するか否かを判断する。抽出された字幕データと、記録している元データとが一致する場合、照合部６３は、ＣＭ映像信号に付加された字幕データが正しいと判断する。これにより、照合部６３は、正しい字幕データが正しいタイミングでＣＭ映像信号に多重されているか否かを確認する。照合部６３は、照合結果を通信部６２へ出力する。
【００４４】
記録部６４は、通信部６２からの放送結果データを記録する。記録部６４は、記録した放送結果データを提示部６５からユーザへ提示する。なお、提示部６５は、モニタ又はプリンタ等が想定される。
【００４５】
制御部６６は、通信部６２からのプレイリストデータを受信する。制御部６６は、プレイリストデータに記載される放送スケジュールに基づいて、抽出部６１に対して字幕データを抽出するタイミングを指示する。
【００４６】
次に、上記構成における字幕確認装置６０の動作を具体的に説明する。図５は、第２の実施形態に係る字幕確認装置６０が提示部６５から一日分のデータを提示する際の処理を示すシーケンス図である。
【００４７】
まず、通信部６２は、ＤＳ７０から供給されるプレイリストデータを受信し（シーケンスＳ５１）、受信したプレイリストデータを制御部６６へ出力する（シーケンスＳ５２）。制御部６６は、通信部６２からのプレイリストを記録する（シーケンスＳ５３）。
【００４８】
照合部６３は、字幕データ出力部２３で記録される字幕データの元データを受け取り（シーケンスＳ５４）、受け取った元データを記録する（シーケンスＳ５５）。
【００４９】
続いて、抽出部６１は、映像信号出力装置２０から出力されるＣＭ映像信号を受信する（シーケンスＳ５６）。制御部６６は、記録するプレイリストデータに従い、抽出部６１に対して、字幕データを抽出するタイミングを指示する（シーケンスＳ５７）。抽出部６１は、制御部６６の指示に従い、受信したＣＭ映像信号のアンシラリ領域から、字幕データ、ユニークコード及びタイムスタンプを抽出する（シーケンスＳ５８）。抽出部６１は、抽出した字幕データを照合部６３へ出力し、抽出した字幕データ及びユニークコードと、取得したタイムスタンプとを通信部６２へ出力する（シーケンスＳ５９）。
【００５０】
照合部６３は、記録している元データと、抽出部６１からの字幕データとを照合し、抽出した字幕データが受信した映像信号にとって正しいものであるか否かを判断する（シーケンスＳ５１０）。照合部６３は、照合結果を通信部６２へ出力する（シーケンスＳ５１１）。
【００５１】
通信部６２は、抽出部６１からの字幕データ、ユニークコード及びタイムスタンプと、照合部６３からの照合結果を記録する（シーケンスＳ５１２）。字幕確認装置６０は、シーケンスＳ５６からシーケンスＳ５１２までを、ＣＭが終了するまで繰り返す。
【００５２】
通信部６２は、例えば００時００分になると、記録した一日分のデータをまとめて、放送結果データを作成する（シーケンスＳ５１３）。通信部６２は、作成した放送結果データをＤＳ７０へ出力する（シーケンスＳ５１４）。
【００５３】
ＤＳ７０は、放送結果データに記載されるユニークコードと、作成したユニークコードとを比較し、これらのユニークコードが一致するかを判断する。一致する場合、ＤＳ７０は、字幕データが正しい旨を放送結果データに記載する。また、異なる場合、ＤＳ７０は、字幕データが間違えている旨を放送結果データに記載する。ＤＳ７０は、字幕データが正しいか否かを記載した放送結果データを字幕確認装置６０へ返信する。
【００５４】
通信部６２は、ＤＳ７０からの放送結果データを受け取り（シーケンスＳ５１５）、受け取った放送結果データを記録部６４へ出力する（シーケンスＳ５１６）。記録部６４は、通信部６２からの放送結果データを記録し（シーケンスＳ５１７）、記録した放送結果データを提示部６５から提示する（シーケンスＳ５１８）。
【００５５】
以上のように、第２の実施形態では、字幕確認装置６０は、受信したＣＭ映像信号から字幕データを、プレイリストに従ったタイミングで抽出する。字幕確認装置６０は、抽出した字幕データと、受信したＣＭ映像信号に付加されると想定される字幕データの元データとを照合し、ＣＭ映像信号に正しい字幕データが正しいタイミングで多重されているかを判断するようにしている。これにより、ＣＭの字幕の表示／非表示を設定可能な場合であっても、出力したＣＭに正しい字幕が付されているか否かを自動で判別することが可能となる。つまり、人の手を介さなくても、出力したＣＭに正しい字幕が付されているか否かを判別することが可能となる。
【００５６】
また、第２の実施形態では、字幕確認装置６０は、受信したＣＭ映像信号から字幕データのユニークコードをさらに抽出し、抽出したユニークコードを含む放送結果データをＤＳ７０へ出力する。ＤＳ７０は、字幕確認装置６０からのユニークコードと、字幕データ毎に割り当てたユニークコードとを比較することで、ＣＭ映像信号に正しい字幕データが付されているか否かを判断するようにしている。これにより、ＣＭ映像信号に正しい字幕データが付されているか否かを判断する精度を向上させることが可能となる。
【００５７】
したがって、第２の実施形態に係る字幕確認システム及び字幕確認装置６０によれば、人の手を介さずに、放送信号に付された字幕が正しいか否かを確認することができる。
【００５８】
なお、第２の実施形態では、図４に示す字幕確認システムについて説明したが、これに限定される訳ではない。例えば、図３に示すように、字幕デコード装置５０を具備しても構わない。
【００５９】
また、第２の実施形態では、記録部６４は、ＤＳ７０から返信された放送結果データを記録し、記録した放送結果データを提示部６５からユーザへ提示する場合を例に説明した。しかしながら、これに限定される訳ではない。例えば、記録部６４は、抽出部６１から出力される字幕データ及びタイムスタンプと、照合部６３から出力される照合結果とを記録しても構わない。記録部６４は、字幕データ、タイムスタンプ及び照合結果を所定の期間、例えば一日分、記録すると、記録した一日分のデータを提示部１５からユーザへまとめて提示する。
【００６０】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００６１】
１０，６０…字幕確認装置、１１，６１…抽出部、１２，６２…通信部、１３，６３…照合部、１４，６４…記録部、１５，６５…提示部、２０…映像信号出力装置、２１…映像再生装置、２２…字幕インサート部、２３…字幕データ出力部、３０，７０…ＤＳ、４０…ＡＰＣ、５０…字幕デコード装置、５１…デコーダ、５２…モニタ、６６…制御部、
【図１】
2013065959.tif 000003
【図２】
2013065959.tif 000004
【図３】
2013065959.tif 000005
【図４】
2013065959.tif 000006
【図５】
2013065959.tif 000007